(57)【要約】【課題】      餌木の固定した重りの左右両側に付加重りを装着すると、イカ釣り用疑似餌を動かしたときの水切れがあまく、動きが鈍くなること。【解決手段】イカ釣り用疑似餌Ａは、エビや魚などのイカが好む餌に似せた外観のボディ部２と重り部３を有する疑似餌本体１を有し、重り部３はボディ部２において、疑似餌本体１の前後中央線Ｃ１より前方側の下部に下方に向けて突出している。重り部３は係止部８を有し、係止部８は、重り部３の前方の周面３ｃ（重り部３の前方側の輪郭部１ｃ）で挿通孔を有するリング状に形成され付加重りＯが揺動自在に取り付けられる。【選択図】        図１
2010154763.tif 000002
【特許請求の範囲】
【請求項１】
前方側の下部に下方に向けて突出する重り部を有する疑似餌本体の前方側の下部の長手方向の輪郭部に係止部を設けたことを特徴とするイカ釣り用疑似餌。
【請求項２】
係止部は金属線で形成したことを特徴とする請求項１に記載のイカ釣り用疑似餌。
【請求項３】
係止部に揺動可能に重りを取り付けたことを特徴とする請求項１または２に記載のイカ釣り用疑似餌。
【請求項４】
係止部は重り部の輪郭部に設けたことを特徴とする請求項１乃至３の何れか１つに記載のイカ釣り用疑似餌。
【請求項５】
係止部はボディ部に設けたことを特徴とする請求項１乃至３の何れか１つに記載のイカ釣り用疑似餌。
【発明の詳細な説明】
【技術分野】
【０００１】
本発明は、仕掛けの係止部を設けたイカ釣り用疑似餌に関する。
【背景技術】
【０００２】
従来から餌木などのイカ釣り用疑似餌を用いてアオリイカ等のイカ釣りが行われている。
餌木は、エビや魚等のイカが好む餌に似せた軽量のボディ部の前方側の下部に重りが固定され、前方から斜めにゆっくり沈むように形成され、後端に前方側を向いた釣り針を有している。
餌木を用いたイカ釣りは、釣り糸の先端に餌木を取り付け釣り竿を用いてキャスティングし、餌木を動かしたり沈めたりしながらイカを誘って餌木に抱きついたイカを後端の釣り針に掛けていた。
【０００３】
このように餌木を用いてイカ釣りをする場合、釣りをする場所の水深等によって沈む早さを変えるために餌木の前方側の下方に固定した重りの他、に釣り人の好みで重りを付加していた。
【０００４】
特許文献１には、餌木の前方側の下方に固定した重りに左右方向の孔を設けて、この孔を介して螺子止めの付加重りを取り付けることが記載されている。
しかし、このように付加重りを装着すると餌木の前方側の下方に設けた固定した重りの両側に、さらに左右に突出して付加重りが取り付くため、餌木を動かしたときの水切れがあまく、餌木の動きが鈍くなる傾向があった。
【特許文献１】特開２００２−２２３６６９
【発明の開示】
【発明が解決しようとする課題】
【０００５】
解決しようとする課題は、餌木の前方側の下方に設けた固定した重りの左右両側に付加重りを装着すると、餌木などのイカ釣り用疑似餌を動かしたときの水切れがあまく、動きが鈍くなることである。
【０００６】
本発明の目的は前記欠点に鑑み、重りを付加しても水切れが良く、素早く動くイカ釣り用疑似餌を提供することである。
【課題を解決するための手段】
【０００７】
上記課題を解決するために、
請求項１に係わる本発明は、前方側の下部に下方に向けて突出する重り部を有する疑似餌本体の前方側の下部の長手方向の輪郭部に係止部を設けたことを要旨とするものである。
請求項２に係わる本発明は、係止部は金属線で形成したことを要旨とするものである。
請求項３に係わる本発明は、係止部に揺動可能に重りを取り付けたことを要旨とするものである。
請求項４に係わる本発明は、係止部は重り部の輪郭部に設けたことを要旨とするものである。
請求項５に係わる本発明は、係止部はボディ部に設けたことを要旨とするものである。
【発明の効果】
【０００８】
本発明によると、重りを付加してもイカ釣り用疑似餌の水切れが良く、素早く動かすことができる。
【発明を実施するための最良の形態】
【０００９】
以下、本発明の実施形態を図面に基づき説明すると、図１から図３は本発明の第１の実施例で、図１はイカ釣り用疑似餌の一部を断面にした全体図、図２は重りを取り付けたイカ釣り用疑似餌の正面図、図３はイカ釣り用疑似餌の底面図である。
【００１０】
本願のイカ釣り用疑似餌（餌木）Ａは、図１から図３のように、エビや魚などのイカが好む餌に似せた外観のボディ部２と重り部３を有する疑似餌本体１を有し、疑似餌本体１は、前後方向に長く形成され、ボディ部２に前端１ａに釣り糸止着部５が取り付けられ、後端１ｂに先端が前端１ａ方向を向いた釣り針４が取り付けられている。
【００１１】
前方側の下部に下方に向けて突出する重り部を有するボディ部２は、木材、合成樹脂等で形成され、前方側の左右両側に目６とひれ７が取り付けられている。
さらに、ボディ部２において、疑似餌本体１の前後中央線Ｃ１より前方側の下部に下方に向けて突出する重り部３を有している。
【００１２】
重り部３は、金属等のボディ部２より重い材料でボディ部２の左右幅より幅が小さい舌片状（板状）に形成され、ボディ部２にその基端が差し込まれて固定され、疑似餌本体１の下方に向けて先端が突設され、その厚味に当たる周面３ｃが疑似餌本体１の前方から下方を経て後方を向き、両側面がそれぞれ疑似餌本体１の左右方向を向くようにして前方に進行したときに水を切りやすいキール状に形成されている。
【００１３】
重り部３は疑似餌本体１の下部１ｃの長手方向の輪郭線Ｃ３に沿った輪郭部１ｃに係止部８を設けている。
係止部８は、重り部３の前方の周面３ｃ（重り部３の前方側の輪郭部１ｃ）で挿通孔を有するリング状に形成されている。
係止部８は金属線材で形成された８の字状部材の基端側が重り部３に埋設されて先端側のリング状部分が前方に突出している。
【００１４】
係止部８に重りＯを取り付けるときは、重りＯに設けたスナップＯ１を係止部８のリング状部に係止する。
この状態で重りＯは係止部８に対し揺動自在に取り付けられ、ボディ部２に固定された重り部３に重量を付加することとなる。
なお、重りＯはスナップＯ１によって係止部８に着脱可能になっている。
【００１５】
このイカ釣り用疑似餌Ａを使用すると、キャスティングされて着水したイカ釣り用疑似餌（餌木）Ａは重り部３と係止部８にて重り部３に付加された重りＯの重量で、前方を斜め下方にして沈下していく、釣り竿を煽って、イカ釣り用疑似餌Ａを浮上させ、再度沈めていくと重りＯがすぐに沈下方向に垂下して素早く沈下姿勢を取ることができる。
【００１６】
また、釣り竿を煽ると図２のように重りＯが係止部８にて左右中心線Ｃ２から前後および左右に揺動し、元の位置に戻るときに係止部８が取り付けられた重り部３が引かれるため、イカ釣り用疑似餌Ａにイレギュラーな動きを発生させることができ、イカを誘うことができる。
【００１７】
係止部８は、重り部３の前方の周面３ｃ（重り部３の前方側の輪郭部１ｃ）に設けられ、この係止部８に重りＯが付加されているために、キャスティングされて空中を飛んでいるときは安定し、上記のようにイレギュラーな動きで泳動した後でもすぐに安定した姿勢に戻るため水中における進行方向にける水の抵抗が小さく水切れの良く、素早い方向転換をすることも出来る。
【００１８】
また、イカ釣り用疑似餌Ａは前方側の疑似餌本体１のボディ２の下部１ｃの最も下方に突出した部分Ｔの上方側に重心Ｇがあり、イカ釣り用疑似餌Ａは前方側に重り部３、係止部８は配されている。
【００１９】
また、図４は本願の第２の実施例で、一部を断面にした全体図である。
【００２０】
このイカ釣り用疑似餌Ａの重り部３も第１の実施例と同様に疑似餌本体１の下部１ｃの長手方向の輪郭線Ｃ３に沿った輪郭部１ｃに設けられ、係止部９は輪郭部１ｃにおける重り部３の下方の周面３ｃに設けている。
係止部９は、重り部３の下方の周面３ｃ（重り部３の下方側の輪郭部１ｃ）で、重り部３の下方に形成した凹部３ａに前後方向に金属線材を架設して係止部９が形成されている。
係止部９は、金属線材の両端が凹部３ａの開口を閉塞するように凹部３ａに埋設されて固定されて形成される。
【００２１】
この係止部９に重りＯを揺動自在に係止することができ、第１の実施例と同様の作用効果が生じる。
なお、その他は第１の実施例と同様である。
【００２２】
図５から図６は本発明の第３の実施例で、図５はイカ釣り用疑似餌の一部を断面にした全体図、図６はイカ釣り用疑似餌の底面図である。
【００２３】
図５、図６によるイカ釣り用疑似餌Ａは、重り部３の他に、係止部１０、１１がそれぞれ重り部３の前後のボディ２の疑似餌本体１の下部１ｃの長手方向の輪郭線Ｃ３に沿った輪郭部１ｃに設けられている。
係止部１０、１１は、ボディ２から下方に突出するリング状に形成され、係止部１０、１１は金属線材で形成された８の字状部材の基端側がボディ２に埋設されて先端側のリング状部分が下方に突出している。
【００２４】
係止部１０、１１は重り部３の前方側と後方側に設けられているため重りＯを取り付けると疑似餌本体１の前後方向のバランスを変えることができる。
【００２５】
なお、重り部３の前方の周面３ｃ（重り部３の前方側の輪郭部１ｃ）に設けた係止部１２は、一端が開放端になっており開口１２ａを有するフック状に形成されているため、形成する金属線材の可撓性で開口１２を開いて取り付けるため、付加する重りはスナップを有していなくても係止リングを有していれば、そのリングを開口１２ａに通して取り付けることができる。
その他は、第１、第２の実施例と同じである。
【産業上の利用可能性】
【００２６】
本発明は、イカ釣り用疑似餌全般に利用できる。
【図面の簡単な説明】
【００２７】
【図１】図１は、第１の実施例で、イカ釣り用疑似餌の一部を断面にした全体図である。
【図２】図２は、同重りを取り付けたイカ釣り用疑似餌の正面図である。
【図３】図３は、同イカ釣り用疑似餌の底面図である。
【図４】図４は、第２の実施例で、一部を断面にした全体図である。
【図５】図５は、第３の実施例で、イカ釣り用疑似餌の一部を断面にした全体図である。
【図６】図６は、同イカ釣り用疑似餌の底面図である。
【符号の説明】
【００２８】
Ａ    イカ釣り用疑似餌
１    疑似餌本体
２    ボディ
３    重り部
８、９、１１、１２  係止部
Ｏ    重り
【図１】
2010154763.tif 000003
【図２】
2010154763.tif 000004
【図３】
2010154763.tif 000005
【図４】
2010154763.tif 000006
【図５】
2010154763.tif 000007
【図６】
2010154763.tif 000008